(57)【要約】【課題】望ましいＸ線撮影時刻を画像に容易に記録することができる放射線撮像システムを提供すること。【解決手段】本発明に係る放射線撮像装置は、放射線発生部が放射する放射線の放射線量を検出する放射線検出部と、放射線検出部が検出した放射線量が予め定められた基準値を超えた時刻を取得する時刻取得部と、時刻取得部が取得した時刻を、放射線発生部が放射した放射線によって撮影された被検体の放射線画像と対応づけて出力する出力部とを備える。【選択図】図２
2008206764.tif 000002
【特許請求の範囲】
【請求項１】
放射線発生部が放射する放射線の放射線量を検出する放射線検出部と、
前記放射線検出部が検出した放射線量が予め定められた基準値を超えた時刻を取得する時刻取得部と、
前記時刻取得部が取得した時刻を、前記放射線発生部が放射した放射線によって撮影された被検体の放射線画像と対応づけて出力する出力部と
を備える放射線撮像装置。
【請求項２】
前記放射線検出部が検出した放射線量が前記基準値を超えた場合に、前記放射線発生部からの放射線の放射を停止させる制御部
をさらに備える請求項１に記載の放射線撮像装置。
【請求項３】
前記放射線検出部は、前記被検体に対して前記放射線発生部が発生する放射線の焦点と対向する位置に設けられ、前記放射線発生部から放射されて前記被検体を通過した放射線を検出する
請求項１に記載の放射線撮像装置。
【請求項４】
前記放射線検出部は、
異なる位置に設けられ、前記放射線発生部が放射した放射線の放射線量をそれぞれ検出する複数の放射線検出素子
を有し、
前記時刻取得部は、前記複数の放射線検出素子がそれぞれ検出した放射線量の少なくともいずれかが前記基準値を超えた時刻を取得する
請求項３に記載の放射線撮像装置。
【請求項５】
前記複数の放射線検出素子のそれぞれに対応づけて前記基準値を格納する基準値格納部
をさらに備え、
前記時刻取得部は、前記複数の放射線検出素子が検出した放射線量の少なくともいずれかが、前記複数の放射線検出素子のそれぞれに対応づけて前記基準値格納部が格納している前記基準値を超えた時刻を取得する
請求項４に記載の放射線撮像装置。
【請求項６】
前記基準値格納部は、前記被検体に対する前記複数の放射線検出素子の位置のそれぞれに対応づけて前記基準値を格納する
請求項５に記載の放射線撮像装置。
【請求項７】
前記放射線発生部が放射線を放射する範囲を取得する照射範囲取得部
をさらに備え、
前記時刻取得部は、前記照射範囲取得部が取得した照射範囲内に位置する前記複数の放射線検出素子が検出した放射線量の少なくともいずれかが前記基準値を超えた時刻を取得する
請求項４に記載の放射線撮像装置。
【請求項８】
撮影すべき前記被検体の撮影対象を取得する撮影対象取得部
をさらに備え、
前記基準値格納部は、前記複数の放射線検出素子のそれぞれ及び撮影すべき撮影対象に対応づけて前記基準値を格納しており、
前記時刻取得部は、前記複数の放射線検出素子が検出した放射線量の少なくともいずれかが、前記複数の放射線検出素子のそれぞれ及び前記撮影対象取得部が取得した撮影対象に対応づけて前記基準値格納部が格納している前記基準値を超えた時刻を取得する
請求項５に記載の放射線撮像装置。
【請求項９】
前記放射線検出部は、前記放射線発生部が放射するＸ線のＸ線量を検出し、
前記時刻取得部は、前記放射線検出部が検出したＸ線量が予め定められた基準値を超えた時刻を取得し、
前記出力部は、前記時刻取得部が取得した時刻を、前記放射線発生部が放射したＸ線によって撮影された被検体のＸ線画像と対応づけて出力する
請求項１に記載の放射線撮像装置。
【請求項１０】
前記時刻取得部は、前記放射線検出部が検出した放射線量が前記基準値を超えた場合に、標準時刻電波を受信することによって時刻を取得する
請求項１に記載の放射線撮像装置。
【請求項１１】
前記放射線検出部が検出した放射線量が前記基準値を超えた場合に、前記放射線検出部の位置を取得する位置取得部
をさらに備え、
前記出力部は、前記時刻取得部が取得した時刻及び前記位置取得部が取得した位置を、前記放射線画像と対応づけて出力する
請求項１に記載の放射線撮像装置。
【請求項１２】
放射線発生部が放射する放射線の放射線量を検出する放射線検出段階と、
前記放射線検出段階において検出された放射線量が予め定められた基準値を超えた時刻を取得する時刻取得段階と、
前記時刻取得段階において取得された時刻を、前記放射線発生部が放射した放射線によって撮影された被検体の放射線画像と対応づけて出力する出力段階と
を備える放射線撮像方法。
【請求項１３】
放射線撮像装置用のプログラムであって、前記放射線撮像装置を、
放射線発生部が放射する放射線の放射線量を検出する放射線検出部、
前記放射線検出部が検出した放射線量が予め定められた基準値を超えた時刻を取得する時刻取得部、
前記時刻取得部が取得した時刻を、前記放射線発生部が放射した放射線によって撮影された被検体の放射線画像と対応づけて出力する出力部
として機能させるプログラム。
【発明の詳細な説明】
【技術分野】
【０００１】
本発明は、放射線撮像装置、放射線撮像方法、及びプログラムに関する。特に本発明は、放射線画像を撮像する放射線撮像装置及び放射線撮像方法、並びに放射線撮像装置用のプログラムに関する。
【背景技術】
【０００２】
Ｘ線を蛍光体で可視光に変換し、その光エネルギーを電気信号に変換してＸ線画像をモニタ画面に表示し、さらにインクジェット記録方式でＸ線画像を記録するＸ線画像撮影システムが知られている（例えば、特許文献１参照。）。このシステムでは、撮影日時をＸ線画像情報とともに記録する。また、所定の時間内に複数回のＸ線撮影を行うことにより得られる複数のＸ線透過画像を連続画像として記録し、設定された関心区間にあるＸ線透過画像を連続して表示するＸ線画像診断装置が知られている（例えば、特許文献２参照。）。このＸ線画像診断装置では、連続画像が撮像された時刻の情報が保管、管理される。
【特許文献１】特開２００１−１４９３５７号公報
【特許文献２】特開２００６−１３０１２９号公報
【発明の開示】
【発明が解決しようとする課題】
【０００３】
上記特許文献１には、撮影日時がいずれのタイミングを示す時刻であるかについて具体的に記載されていない。放射線画像の読影者にとっては、撮影日時が、被撮影者を受け付けたタイミング、Ｘ線管球を駆動したタイミング、画像データを読み取ったタイミング、画像データを送信するタイミングのいずれであるかが、診断上重要となる場合がある。読影者にとってはＸ線を照射したタイミングに近いタイミングが撮影日時として記録されていることが望ましい場合が多いが、そのような時刻を記録するためには、Ｘ線発生装置が、Ｘ線を発生した時刻を示すデータをＸ線検出器に提供しなければならない。そのためにはＸ線発生装置とＸ線検出器との間で、決まった通信プロトコルで時刻を通信する必要がある。このような制約があると、Ｘ線発生装置及びＸ線検出器の自由な組合せで撮影することができなくなってしまう虞がある。また、特許文献２にも、いずれのタイミングの時刻を保管、管理するかについては何ら記載されていない。
【０００４】
そこで本発明は、上記課題を解決することができる放射線撮像装置、放射線撮像方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態における放射線撮像装置は、放射線発生部が放射する放射線の放射線量を検出する放射線検出部と、放射線検出部が検出した放射線量が予め定められた基準値を超えた時刻を取得する時刻取得部と、時刻取得部が取得した時刻を、放射線発生部が放射した放射線によって撮影された被検体の放射線画像と対応づけて出力する出力部とを備える。
【０００６】
放射線検出部が検出した放射線量が基準値を超えた場合に、放射線発生部からの放射線の放射を停止させる制御部をさらに備えてよい。
【０００７】
放射線検出部は、被検体に対して放射線発生部が発生する放射線の焦点と対向する位置に設けられ、放射線発生部から放射されて被検体を通過した放射線を検出してよい。
【０００８】
放射線検出部は、異なる位置に設けられ、放射線発生部が放射した放射線の放射線量をそれぞれ検出する複数の放射線検出素子を有し、時刻取得部は、複数の放射線検出素子がそれぞれ検出した放射線量の少なくともいずれかが基準値を超えた時刻を取得してよい。
【０００９】
複数の放射線検出素子のそれぞれに対応づけて基準値を格納する基準値格納部をさらに備え、時刻取得部は、複数の放射線検出素子が検出した放射線量の少なくともいずれかが、複数の放射線検出素子のそれぞれに対応づけて基準値格納部が格納している基準値を超えた時刻を取得してよい。
【００１０】
本発明の第２の形態における放射線撮像方法は、放射線発生部が放射する放射線の放射線量を検出する放射線検出段階と、放射線検出段階において検出された放射線量が予め定められた基準値を超えた時刻を取得する時刻取得段階と、時刻取得段階において取得された時刻を、放射線発生部が放射した放射線によって撮影された被検体の放射線画像と対応づけて出力する出力段階とを備える。
【００１１】
本発明の第３の形態によると、放射線撮像装置用のプログラムであって、放射線撮像装置を、放射線発生部が放射する放射線の放射線量を検出する放射線検出部、放射線検出部が検出した放射線量が予め定められた基準値を超えた時刻を取得する時刻取得部、時刻取得部が取得した時刻を、放射線発生部が放射した放射線によって撮影された被検体の放射線画像と対応づけて出力する出力部として機能させる。
【００１２】
なお、上記の発明の概要は、本発明の必要な特徴の全てを列挙したものではなく、これらの特徴群のサブコンビネーションもまた、発明となりうる。
【発明の効果】
【００１３】
本発明によれば、望ましいＸ線撮影時刻を画像に容易に記録することができる放射線撮像システムを提供することができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、一実施形態に係る放射線撮像システム１００の利用環境の一例を示す。放射線撮像システム１００は、放射線撮像装置１１０、通信経路１５０、無線通信装置１５２、診断装置１１５ａ及びｂ（以下、診断装置１１５と総称する。）、サーバ１７０、データベース１７２を備える。放射線撮像装置１１０は、放射線検出器１２０及び制御装置１３０を有する。放射線検出器１２０は、フォトタイマ用のフォトデテクタ１２２を含む。制御装置１３０は、モニタ１４０、入力装置１４２、及び放射線源１３２を含む。なお、放射線源１３２はＸ線源であってよい。診断装置１１５ａは、モニタ１６０ａを有し、診断装置１１５ｂは、モニタ１６０ｂを有する。なお、以後、モニタ１６０ａ及びｂをモニタ１６０と総称する。
【００１６】
放射線撮像装置１１０は、放射線技師１８０の操作によって被検者の放射線画像を撮像する。なお、放射線撮像装置１１０は移動式の放射線撮像装置であってよく、放射線撮像装置１１０は、被検者がいる病室又は被検者の自宅で、放射線技師１８０の操作によって放射線画像を撮像してよい。放射線撮像装置１１０は、被検者を撮像する前に、通信経路１５０及び放射線撮像装置１１０の近傍の無線通信装置１５２を通じて、被検者の撮像オーダをサーバ１７０から取得する。そして、モニタ１４０は、撮像オーダに含まれる被検者ＩＤ、被検者の氏名、年齢、性別、体重、撮像部位、撮像方向、及び医師ＩＤを表示する。
【００１７】
そして、放射線技師１８０は、モニタ１４０に表示された年齢、性別、体重、撮像部位に基づいて撮像条件を決定して、入力装置１４２から入力する。撮像条件は、管電流、管電圧、放射線源１３２の絞り径、照射時間を含む。なお、放射線撮像装置１１０は、撮像条件をサーバ１７０から受け取ってもよい。放射線源１３２は、放射線技師１８０の照射開始指示により、放射線を被検者に照射する。放射線検出器１２０は被検者を透過した放射線量に応じて信号を生成する。また、フォトデテクタ１２２も、被検者及び放射線検出器１２０を透過した放射線量に応じて信号を生成する。フォトデテクタ１２２が生成した信号が示す放射線量が所定値以上になった場合に、放射線検出器１２０は放射線源１３２からの放射線の照射を停止する停止信号を制御装置１３０に送信する。そして放射線検出器１２０は放射線の検出を停止するとともに、標準時刻を示す標準電波を検出することによって放射線の検出を停止した時刻を取得する。そして、放射線検出器１２０は、生成した信号から放射線画像を生成して、生成した放射線画像に取得した時刻を付帯して記録する。
【００１８】
サーバ１７０は、制御装置１３０、無線通信装置１５２、及び通信経路１５０を通じて、放射線検出器１２０から放射線画像を取得して、データベース１７２に記録する。診断装置１１５は、医師１９０ａ及びｂ（以下、医師１９０と総称する。）による指示に応じて、データベース１７２から放射線画像を取得してモニタ１６０に表示する。なお、図面の都合上、一の放射線撮像装置１１０しか示されていないが、放射線撮像システム１００は複数の放射線撮像装置１１０を備えてよい。また、上記における画像データの記録及び一連の通信制御はＤＩＣＯＭ規格に従って行われてよい。また、被検者の放射線画像を撮像する放射線検出器１２０は、ＦＰＤ等のような固体放射線検出器であってよい。なお、本実施形態における放射線とは、Ｘ線、γ線等の電磁放射線、或いはアルファ線等の粒子線であってよい。
【００１９】
なお、放射線検出器１２０は、輝尽性蛍光体を使用したイメージングプレート、放射線に感光する放射線フィルム（増感紙を含む）を含んでよい。また、放射線検出器１２０は放射線画像を撮像する放射線検出器の一例であって、そのような放射線検出器としては、ＦＰＤ等のような固体放射線検出器を含む様々なデバイスを使用することができる。なお、被検体は、放射線による撮像対象となる対象物であり、放射線による検診を受ける人物及び動物、放射線によって非破壊検査される工業製品を含む。
【００２０】
図２は、放射線撮像装置１１０のブロック構成の一例を示す。放射線撮像装置１１０は、放射線発生部２００、放射線検出部２１０、放射線画像生成部２２０、時刻取得部２３０、位置取得部２４０、制御部２５０、基準値格納部２６０、照射範囲取得部２７０、撮影対象取得部２８０、及び出力部２９０を備える。放射線検出部２１０は、複数の放射線検出素子２１２を有する。
【００２１】
放射線検出部２１０は、放射線発生部２００が放射する放射線の放射線量を検出する。時刻取得部２３０は、放射線検出部２１０が検出した放射線量が予め定められた基準値を超えた時刻を取得する。例えば、時刻取得部２３０は、放射線検出部２１０が検出した放射線量が基準値を超えた場合に、標準時刻電波を受信することによって時刻を取得する。
【００２２】
そして、放射線画像生成部２２０は、放射線検出部２１０が検出した放射線量に基づいて被検体の放射線画像を生成する。なお、本実施形態においては、時刻取得部２３０は、時刻を取得するために放射線検出部２１０によって検出された放射線線量を用いるが、他の形態においては、時刻取得部２３０は、放射線画像を生成するための放射線検出部２１０とは別に設けられた放射線検出部によって検出された放射線線量が予め定められた基準値を超えた時刻を取得してもよい。
【００２３】
そして、出力部２９０は、時刻取得部２３０が取得した時刻を、放射線発生部２００が放射した放射線によって撮影された被検体の放射線画像と対応づけて出力する。具体的には、出力部２９０は、時刻取得部２３０が取得した時刻を、放射線画像生成部２２０が生成した放射線画像と対応づけて出力する。具体的には、出力部２９０は、時刻取得部２３０が取得した時刻を、放射線画像生成部２２０が生成した放射線画像と対応づけて記録媒体に記録してよい。また、出力部２９０は、時刻取得部２３０が取得した時刻を、放射線画像生成部２２０が生成した放射線画像と対応づけて表示装置に表示してよい。
【００２４】
なお、放射線検出部２１０は、被検体に対して放射線発生部２００が発生する放射線の焦点と対向する位置に設けられ、放射線発生部２００から放射されて被検体を通過した放射線を検出する。放射線検出素子２１２は、異なる位置に複数設けられ、放射線発生部２００が放射した放射線の放射線量をそれぞれ検出する。そして、制御部２５０は、放射線検出部２１０が検出した放射線量が基準値を超えた場合に、放射線発生部２００からの放射線の放射を停止させる。具体的には、時刻取得部２３０は、複数の放射線検出素子２１２がそれぞれ検出した放射線量の少なくともいずれかが基準値を超えた時刻を取得する。
【００２５】
具体的には、基準値格納部２６０は、複数の放射線検出素子２１２のそれぞれに対応づけて基準値を格納する。例えば、基準値格納部２６０は、被検体に対する複数の放射線検出素子２１２の位置のそれぞれに対応づけて基準値を格納する。そして、時刻取得部２３０は、複数の放射線検出素子２１２が検出した放射線量の少なくともいずれかが、複数の放射線検出素子２１２のそれぞれに対応づけて基準値格納部２６０が格納している基準値を超えた時刻を取得する。
【００２６】
なお、撮影対象取得部２８０は、撮影すべき被検体の撮影対象を取得する。基準値格納部２６０は、複数の放射線検出素子２１２のそれぞれ及び撮影すべき撮影対象に対応づけて基準値を格納している。そして、時刻取得部２３０は、複数の放射線検出素子２１２が検出した放射線量の少なくともいずれかが、複数の放射線検出素子２１２のそれぞれ及び撮影対象取得部２８０が取得した撮影対象に対応づけて基準値格納部２６０が格納している基準値を超えた時刻を取得する。
【００２７】
また、照射範囲取得部２７０は、放射線発生部２００が放射線を放射する範囲を取得する。例えば、照射範囲取得部２７０は、放射線技師１８０が放射する範囲を入力装置１４２から入力することによって、放射線発生部２００が放射線を放射する範囲を取得する。そして、時刻取得部２３０は、照射範囲取得部２７０が取得した照射範囲内に位置する複数の放射線検出素子２１２が検出した放射線量の少なくともいずれかが基準値を超えた時刻を取得する。
【００２８】
なお、位置取得部２４０は、放射線検出部２１０が検出した放射線量が基準値を超えた場合に、放射線検出部２１０の位置を取得する。例えば、位置取得部２４０は、ＧＰＳ衛生からのＧＰＳ情報を取得することによって、放射線検出部２１０が位置する緯度及び経度情報を取得してよい。そして、出力部２９０は、時刻取得部２３０が取得した時刻及び位置取得部２４０が取得した位置を、放射線画像と対応づけて出力する。
【００２９】
なお、本実施形態における放射線とは、Ｘ線であってよい。すなわち、放射線検出部２１０は、放射線発生部２００が放射するＸ線のＸ線量を検出する。そして、時刻取得部２３０は、放射線検出部２１０が検出したＸ線量が予め定められた基準値を超えた時刻を取得する。そして、出力部２９０は、時刻取得部２３０が取得した時刻を、放射線発生部２００が放射したＸ線によって撮影された被検体のＸ線画像と対応づけて出力する。
【００３０】
なお、放射線源１３２は放射線発生部２００の一例であり、フォトデテクタ１２２は放射線検出部２１０の一例である。また、放射線検出器１２０は、放射線検出部２１０、放射線画像生成部２２０、時刻取得部２３０、位置取得部２４０、基準値格納部２６０、及び出力部２９０を有してよい。
【００３１】
図３は、放射線撮像システム１００における放射線画像の撮影フローの一例を示す。放射線発生部２００がＸ線を照射するのに同期して、放射線検出部２１０はＸ線の検出を開始する（S３００）。そして、放射線検出部２１０は、放射線検出素子２１２が検出したＸ線線量が、基準値格納部２６０が格納している基準値を超えたか否かを判断する（Ｓ３０４）。放射線検出素子２１２が検出したＸ線線量が基準値を超えていない場合には、Ｓ３０４の判断を繰り返す。
【００３２】
Ｓ３０４において、Ｘ線線量が基準値を超えた旨を放射線検出部２１０が判断した場合には、放射線検出部２１０は、Ｘ線の照射を停止させる停止信号を制御部２５０に供給して、制御部２５０に放射線発生部２００からのＸ線の照射を停止させるとともに、Ｘ線の検出を停止する（Ｓ３０６）。
【００３３】
そして、時刻取得部２３０は標準時刻を示す標準電波を取得することによって時刻を取得し、位置取得部２４０はＧＰＳからの緯度及び経度情報を取得することによって放射線検出部２１０の位置を取得する（Ｓ３０８）。そして、放射線画像生成部２２０は、放射線検出部２１０が検出したＸ線線量に基づいてＸ線画像を生成して、生成したＸ線画像を、Ｓ３０８において取得した時刻及び位置を付帯して記録し（Ｓ３１０）、処理を終了する。
【００３４】
図４は、放射線検出素子２１２の配置の一例を示す。放射線検出素子２１２ａ、ｂ、ｃ、ｄ、ｅ、・・・は、放射線検出部２１０が放射線を検出する検出面４００内の互いに異なる位置に設けられている。これにより、放射線検出素子２１２ａ、ｂ、ｃ、ｄ、ｅ、・・・は、それぞれ被検体の異なる位置を透過してきたＸ線を検出する。なお、以下においては、放射線検出素子２１２ａ、ｂ、ｃ、ｄ、ｅ、・・・を放射線検出素子２１２と総称する。
【００３５】
なお、本図の例では、検出面４００内に５×５の配列で放射線検出素子２１２が配置される例について説明したが、本図に示した配置以外にも多様な配置で放射線検出素子２１２を配置することができることは言うまでもない。なお、放射線検出素子２１２ａ、ｂ、ｃ、ｄ、ｅ、・・・は、一のＸ線検出素子であってよいし、複数のＸ線検出素子の組合せであってもよい。
【００３６】
図５は、基準値格納部２６０が格納しているデータの一例をテーブル形式で示す。基準値格納部２６０は、撮像部位を識別する部位（例えば、肺、心臓等）、放射線検出素子２１２を識別する素子ＩＤ（例えば、＃１、＃２、・・・・、＃ｍ）、及びＸ線線量を示す基準値（Ａ１、Ａ２、・・・、Ａｍ、Ｂ１、Ｂ２、・・・、Ｂｍ）を対応づけて格納している。
【００３７】
例えば、撮影対象取得部２８０が取得した撮像対象が肺である場合には、素子ＩＤ＃１で識別される放射線検出素子２１２が検出するＸ線線量がＡ１を超えた場合に、Ｘ線線量が基準値を超えた旨が判断される（Ｓ３０４のＹＥＳ）。なお、基準値格納部２６０が格納している基準値の具体的な使用方法については、図６及び図７に関連して説明する。
【００３８】
なお、本図の例では、基準値格納部２６０が部位を格納する場合について説明したが、基準値格納部２６０は、部位に代えて放射線発生部２００が放射線を放射する範囲を格納してよいことは言うまでもない。
【００３９】
図６は、放射線検出素子２１２が検出するＸ線線量と時刻を取得するタイミングとの関係の一例を示す図である。ここでは、線６０１は素子ＩＤ＃１によって識別される放射線検出素子２１２ａが検出したＸ線線量の時間発展を示し、線６０２は素子ＩＤ＃２によって識別される放射線検出素子２１２ｂが検出したＸ線線量の時間発展を示すものとする。また撮影対象は肺であるとする。
【００４０】
時刻取得部２３０は、放射線検出素子２１２ａ及びｂが検出したそれぞれのＸ線線量を、予め定められたサンプリング間隔で検出する。そして、時刻取得部２３０は、放射線検出素子２１２ａ及びｂが検出したＸ線線量のいずれかが、対応づけられた基準値（放射線検出素子２１２ａに対してＡ１、放射線検出素子２１２ｂに対してＡ２）を越えたタイミング（時刻ｔ６１０）で時刻を取得する。
【００４１】
なお、本図の例では、説明が複雑になることを避けるべく、２つの放射線検出素子２１２ａ及びｂによって検出されたＸ線線量と時刻取得部２３０が時刻を取得するタイミングとの関係について説明したが、時刻取得部２３０は、同様にして３個以上の放射線検出素子２１２によって検出されたＸ線線量に基づいて時刻を検出するタイミングを決定することができることは言うまでもない。
【００４２】
また、本図の例では、放射線検出素子２１２ａ及びｂのいずれかが基準値を超えたタイミングで時刻取得部２３０が時刻を取得するとしたが、時刻取得部２３０が時刻を取得するタイミングは当該タイミングに限るものではない。例えば、時刻取得部２３０は、予め定められた数の放射線検出素子２１２が検出したＸ線線量が基準値を超えた場合に時刻を取得してもよいし、全ての放射線検出素子２１２が検出したＸ線線量が基準値を超えた場合に時刻を取得してもよい。
【００４３】
図７は、放射線検出素子２１２が検出するＸ線線量と時刻を取得するタイミングとの関係の他の一例を示す図である。本図の例では、線７００は、複数の放射線検出素子２１２（例えば、＃１、＃２、・・・、＃ｍ）が検出するＸ線線量の合計値の時間発展を示す。そして時刻取得部２３０は、複数の放射線検出素子２１２が検出したＸ線線量の合計値が、複数の放射線検出素子２１２のそれぞれに対応づけて基準値格納部２６０が格納している基準値の合計値（Ａ１＋Ａ２＋・・・＋Ａｍ）に達した場合に、時刻を取得する。
【００４４】
なお、図６及び図７においては、放射線検出素子２１２が検出したＸ線線量に基づいて時刻取得部２３０が時刻を取得するタイミングを決定する場合の動作の一例について説明したが、位置取得部２４０も、時刻取得部２３０と同様にして、放射線検出素子２１２が検出したＸ線線量に基づいて位置を取得するタイミングを決定することができることは言うまでもない。
【００４５】
図８は、放射線撮像装置１１０のハードウェア構成の一例を示す。放射線撮像装置１１０は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００４６】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００４７】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００４８】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、放射線撮像装置１１０が起動時に実行するブート・プログラムや、放射線撮像装置１１０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００４９】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００５０】
放射線撮像装置１１０にインストールされて実行されるプログラムは、放射線撮像装置１１０を、図１から図７に関連して説明した放射線発生部２００、放射線検出部２１０、放射線画像生成部２２０、時刻取得部２３０、位置取得部２４０、制御部２５０、基準値格納部２６０、照射範囲取得部２７０、撮影対象取得部２８０、及び出力部２９０として機能させる。
【００５１】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムを放射線撮像装置１１０に提供してもよい。
【００５２】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００５３】
【図１】放射線撮像システム１００の利用環境の一例を示す図である。
【図２】放射線撮像装置１１０のブロック構成の一例を示す図である。
【図３】放射線撮像システム１００における放射線画像の撮影フローの一例を示す図である。
【図４】放射線検出素子２１２の配置の一例を示す図である。
【図５】基準値格納部２６０が格納しているデータの一例をテーブル形式で示す図である。
【図６】Ｘ線線量と時刻を取得するタイミングの関係の一例を示す図である。
【図７】Ｘ線線量と時刻を取得するタイミングとの間の関係の他の一例を示す図である。
【図８】放射線撮像装置１１０のハードウェア構成の一例を示す図である。
【符号の説明】
【００５４】
１００  放射線撮像システム
１１０  放射線撮像装置
１２０  放射線検出器
１２２  フォトデテクタ
１４０  モニタ
１４２  入力装置
１３２  放射線源
１５０  通信ネットワーク
１５２  無線通信装置
１６０  モニタ
１７０  サーバ
１７２  データベース
１８０  放射線技師
１９０  医師
２００  放射線発生部
２１０  放射線検出部
２２０  放射線画像生成部
２３０  時刻取得部
２４０  位置取得部
２５０  制御部
２６０  基準値格納部
２７０  照射範囲取得部
２８０  撮影対象取得部
２９０  出力部
【図１】
2008206764.tif 000003
【図２】
2008206764.tif 000004
【図３】
2008206764.tif 000005
【図４】
2008206764.tif 000006
【図５】
2008206764.tif 000007
【図６】
2008206764.tif 000008
【図７】
2008206764.tif 000009
【図８】
2008206764.tif 000010